(57)【要約】【課題】コーデュロイの脱毛し易く生産効率が低下することを改善し、織物の紡績糸を丈夫に編る。【解決手段】織物組織は少なくとも３本の紡績糸の複数の横向き緯糸セットを具備し、前記緯糸セットはさらに少なくとも２本の紡績糸の複数のシュニール畝織地を含み、前記シュニール畝織地のうち少なくとも１本の紡績糸は少なくとも一つの綿ビロード端を有する。２本の紡績糸の複数の紡績糸絞り畝織地で、各前記紡績糸絞り畝織地はそれぞれ予定数量の前記シュニール畝織地の両側に位置し、少なくとも一本の紡績糸は予定数量の前記シュニール畝織地を巻いて前記綿ビロード端と交差する紡績糸絞りを構成する。前述緯糸セットの前記シュニール畝織地及び前記紡績糸絞り畝織地は次の前記緯糸セットと縦向きに隣接する前記シュニール畝織地及び前記紡績糸絞り畝織地を繋いで織り成した複数の縦向き畝織地の綿ビロード領域を有する。【選択図】  図３Ｂ
2009068125.tif 000002
【特許請求の範囲】
【請求項１】
少なくとも３本紡績糸の複数の横向きの緯糸セットを具備し、前記横向きの緯糸セットはさらに少なくとも２本の複数のシュニール畝織地を含み、前記シュニール畝織地のうち少なくとも１本紡績糸は少なくとも一つの綿ビロード端を有することと、
２本紡績糸の複数の紡績糸絞り畝織地で各前記紡績糸絞り畝織地はそれぞれ予定数量の前記紡績糸絞り畝織地の両側に位置し、そのうち少なくとも１本の同様な紡績糸は予定数量の前記シュニール畝織地を巻いて前記綿ビロード端と交差する紡績糸絞りを構成することと、
前述の横向きの緯糸セットの前記シュニール畝織地及び前記紡績糸絞り畝織地は、次の前記横向きの緯糸セットと隣接する前記シュニール畝織地及び前記シュニール畝織地を繋いで織り成した複数の縦向き畝織地の綿ビロード領域を有することを特徴とするコーデュロイ織物。
【請求項２】
前述の横向きの緯糸セットは少なくとも２本紡績糸の複数のバルーン畝織地を有し、少なくとも一つの前記バルーン畝織地はそれぞれ隣接する前記縦向き畝織地の綿ビロード領域に位置することを特徴とする請求項1に記載するコーデュロイ織物。
【請求項３】
少なくとも３本紡績糸の複数の横向きの緯糸セットを具備し、前記横向きの緯糸セットはさらに少なくとも２本紡績糸の複数のシュニール畝織地を含み、前記シュニール畝織地のうち少なくとも１本紡績糸は少なくとも一つの綿ビロード端を有することと、
２本紡績糸の複数の紡績糸絞り畝織地で各前記紡績糸絞り畝織地は一つの前記シュニール畝織地の両側に位置し、そのうち少なくとも一本の同様な紡績糸は前記シュニール畝織地を巻いて前記綿ビロード端と交差する紡績糸絞りを構成することと、
前述の横向きの緯糸セットの前記シュニール畝織地及び前記紡績糸絞り畝織地は、次の前記横向きの緯糸セットと隣接する前記シュニール畝織地及び前記紡績糸絞り畝織地を繋いで織り成した複数の縦向き畝織地の綿ビロード領域を有することを特徴とするコーデュロイ織物。
【請求項４】
前述の横向きの緯糸セットは少なくとも２本紡績糸の複数のバルーン畝織地を有し、少なくとも一つ前記バルーン畝織地はそれぞれ隣接する前記縦向き畝織地の綿ビロード領域に位置することを特徴とする請求項３に記載するコーデュロイ織物。
【請求項５】
少なくとも３本紡績糸の複数の横向きの緯糸セットを具備し、前記横向きの緯糸セットはさらに少なくとも２本紡績糸の複数のシュニール畝織地を含み、前記シュニール畝織地のうち少なくとも１本紡績糸は少なくとも一つの綿ビロード端を有することと、
２本紡績糸の複数の紡績糸絞り畝織地で各前記紡績糸絞り畝織地はそれぞれ二つの隣接する前記シュニール畝織地の両側に位置し、そのうち少なくとも１本の同様の紡績糸は二つの隣接する前記シュニール畝織地を巻いて前記綿ビロード端と交差する紡績糸絞りを構成することと、
前述の横向きの緯糸セットの前記シュニール畝織地及び前記紡績糸絞り畝織地は次の前記横向きの緯糸セットと隣接する前記シュニール畝織地及び前記紡績糸絞り畝織地を繋いで織り成した複数の縦向き畝織地の綿ビロード領域を有することを特徴とするコーデュロイ織物。
【請求項６】
前述の横向きの緯糸セットは少なくとも２本紡績糸の複数のバルーン畝織地を有し、少なくとも一つ前記バルーン畝織地はそれぞれ隣接する前記縦向き畝織地の綿ビロード領域に位置することを特徴とする請求項５に記載するコーデュロイ織物。
【発明の詳細な説明】
【技術分野】
【０００１】
本発明は織針で鈎編みして織る織物に関し、特に円形編み機で織るコーデュロイ織物に関する。
【背景技術】
【０００２】
コーデュロイ織物生地は分厚く、保温性に富み、秋冬の上着、靴や帽子の生地及び幕、カーテン、ソファ生地などの装飾用品に適している。コーデュロイは品種が豊富で、通常シュニール糸の太さによって極細、細、中、太、極太に分けられる。太と細が間隔を置いているもの、局部縞模様が市松縞でないか又はシュニール糸をズレ切断して綿ビロードに高低のある各種品種を作り出している。コーデュロイ構造は一般にミディアム紡績糸を採用して、地組織は品種の特徴によって平織り、綾織、経糸畝の変化したものなどの組織を選択できる。
【０００３】
従来の織機方法で製造したコーデュロイは、一組の経糸と二組の緯糸が人手又は半オートメーションで織られており、図１Ａと図１Ｂで示すように、従来の織機V字型コーデュロイ組織の概略図とシュニールによりＶ字型綿ビロードにカットする概略図で、該両図面から一組の緯糸（地横１１、１２とも称す）と経糸２１，２２が織り成し丈夫に編むことが可能な綿ビロードの生地及び別途一組の緯糸（ビロード横９１１、９１２とも称す）と経糸２１、２２が織り成して規則的な浮き横９７１、９７２を構成し、前記浮き横９７１、９７２はカッティングされてV字型の綿ビロード９２１、９２２を構成することがはっきりと見出せる。ビロード縦９１１、９１２をカッティングしてV字型綿ビロード９２１、９２２を立てると、織物表面は複数の縦向きビロードライン２９１２を構成する。前記縦向きビロードライン２９１２の横断面は見たところ一本ずつの灯心（パイル）の様なので、該織物はコーデュロイと言われる。
【０００４】
図１Ａで示すように、１：２で平織地を採用して、一本の地横１１を織り込むごとに、連続して二本のビロード横９１１、９１２を織り込み、経糸２１、２２と地横１１、１２が生地を構成し、ビロード横９１１、９１２を規則的な長さ（一般に５、６本の経糸の位置）で布地の上に浮かせ、図１Ｂで示すように、カッティング後のビロード横９１１、９１２はV字型綿ビロード９２１、９２２となって生地（経糸２１、２２と地横１１、１２）を挟んで固定する。V字型綿ビロード９２１、９２２の固定方法は、V字型綿ビロード９２１、９２２と経糸２１、２２との交差点が少ないので、V字型綿ビロード９２１、９２２は脱落し易く、従って一般に横に高密度の極太コールにしか適用されない。しかもこうしたコーデュロイ織物は人手又は半オートメーションで織られるので生産効率がかなり低い。
【０００５】
別途図２で示しているのは、従来のコーデュロイ織物のＷ字型綿ビロード組織概略図である。この図はまた従来の織機方法での製造でもあり、１：２の平織地を採用して、一本の地横１３を織り込むごとに、連続して二本のビロード横（図に符号なし）で織り込み、経糸２３、２４、２５、２６と地横１３、１４が生地を構成し、ビロード横９１１、９１２を規則的な長さ（一般に４、５本の経糸の位置）を布地の上に浮かせ、カッティング後のビロード横はＷ字型綿ビロード９８１、９８２となり、生地（経糸２３、２４、２５、２６と地横１３、１４）を挟んで固定するが、こうしたＷ字型綿ビロード９８１、９８２と経糸との交差点は多いので、V字型綿ビロードの丈夫さよりもしっかりとしており、一般に中、細コールに適用されるが、この従来の織機方法で製造するＷ字型綿ビロード９８１、９８２もやはり毛抜けする状況があり、また生産効率も依然として低い。
【０００６】
上記従来の織機製造によるコーデュロイ織物の方法を総合すると、V字型或いはＷ字型を問わず、何れも同様な問題の性急な改善が待たれる。
１、綿ビロードは脱落し抜毛し易いという状況がある。
２、生産効率が低いという問題。
【発明の開示】
【発明が解決しようとする課題】
【０００７】
そこで、本発明の主たる目的は上記の問題を解決することにあり、織物の綿ビロードを丈夫に編むだけでなく、コーデュロイ織物の生産効率を高めることができることである。
【課題を解決するための手段】
【０００８】
上記の目的を達成させるために、本発明は少なくとも３本紡績糸の複数の横向きの経糸セットで前記横向きの経糸セットはさらに少なくとも２本の複数のシュニール畝織地を含み、前記シュニール畝織地のうち少なくとも１本紡績糸は少なくとも一つの綿ビロード端を有することと、２本紡績糸の複数の紡績糸絞り畝織地で各前記紡績糸絞り畝織地はそれぞれ予定数量の前記シュニール畝織地の両側に位置し、そのうち少なくとも一本の同様の紡績糸は予定数量の前記シュニール畝織地を巻いて前記綿ビロード端と交差する紡績糸絞りを構成することと、前述の横向きの経糸セットの前記シュニール畝織地及び前記紡績糸絞り畝織地は次の前記横向きの経糸セットと縦向きに隣接する前記シュニール畝織地及び前記シュニール畝織地を繋いで織り成した複数の縦向き畝織地の綿ビロード領域を有する特徴を具えたコーデュロイ織物を提案する。
【発明を実施するための最良の形態】
【０００９】
まず、本発明のコーデュロイ織物は円形編み機により製造され、前記円形編み機の経通し作業の原理と技術は当業者には明確に理解されており、また本発明の出願目的でもないので、図面や符号はこれ以上加えずに以下で言及する円形編み機の関連経通し作業原理と技術について説明する旨、特にここで述べておく。
【００１０】
本発明のコーデュロイ織物の好ましい実施例と技術内容は図面と併せて以下で説明する。
【００１１】
図３Ａと図３Ｂで示しているのは、本発明のコーデュロイ織物の第一型組織局部概略図と局部拡大概略図である。図では二組の横向の経糸セット３、６が形成する織物組織の符号を例に取り、本発明のコーデュロイ織物を説明する。
【００１２】
図では横向き経糸セット３には三本の紡績糸３１、３２、３３が有り、前記横向き経糸セット３は円形編み機の各織針によって回数を分けて複数のシュニール畝織地４３１２、５３１２と紡績糸絞り畝織地４３２３、５３２３に鈎編みされ、そのうち縦向き畝織地の綿ビロード領域９では、シュニール畝織地４３１２と別のシュニール畝織地５３１２が二本の紡績糸３１、３２を有し、前記シュニール畝織地４３１２の二本の紡績糸３１、３２は一本の織針によって二回に分けて鈎編みされて出来、また前記シュニール畝織地５３１２の二本の紡績糸３１、３２は別の織針によって二回に分けて鈎編みされて出来、且つそのうちの一本の紡績糸３１は綿ビロード端３１１を有し、紡績糸絞り畝織地４３２３と別の紡績糸絞り畝織地５３２３もまた二本の紡績糸３２、３３を有し、且つそれぞれ前記シュニール畝織地４３１２の左側と前記シュニール畝織地５３１２の右側に位置し、前記紡績糸絞り畝織地４３２３の二本の紡績糸３２、３３は一本の前記シュニール畝織地４３１２並びに前記シュニール畝織地５３１２の何れも異なる織針によて二回に分けて鈎編みされて出来、また前記紡績糸絞り畝織地５３２３の二本の紡績糸３２、３３は一本の上記と何れも異なる織針によって二回に分けて鈎編みされて出来、二つの紡績糸絞り畝織地４３２３、５３２３は一本の同様の紡績糸３３を有し、前記シュニール畝織地４３１２と前記シュニール畝織地５３１２を巻いて、それぞれの綿ビロード端３１１と交錯する紡績糸絞り３３３を構成する。
【００１３】
さらに別の横向き経糸セット６も三本の紡績糸６１、６２、６３を有し、前記横向き経糸セット６もまた円形編み機の各織針によって回数を分けて複数の鈎編みされるシュニール畝織地４６１２、５６１２と紡績糸絞り畝織地４６２３、５６２３に鈎編みされ、上記の同じ縦向き畝織地の綿ビロード領域９では、シュニール畝織地４６１２と別のシュニール畝織地５６１２が二本の紡績糸６１、６２を有し、前記シュニール畝織地４６１２の二本の紡績糸６１、６２は、上記のシュニール畝織地４３１２を構成するのと同じ織針によって、前記横向き横糸セット６のフィーダーで二回に分けて鈎編みされて出来、また前記シュニール畝織地５６１２の二本の紡績糸６１、６２は上記のシュニール畝織地５３１２を構成するのと同じ織針によって、前記横向き横糸セット６のフィーダーで二回に分けて鈎編みされて出来、そのうち紡績糸６１は綿ビロード端６１１も有し、紡績糸絞り畝織地４６２３と別の紡績糸絞り畝織地５６２３もまた二本の紡績糸６２、６３を有し、且つそれぞれ前記シュニール畝織地４６１２の左側と前記シュニール畝織地５６１２の右側に位置し、前記紡績糸絞り畝織地４６２３の二本の紡績糸６２、６３は上記のシュニール畝織地４３１２を構成するのと同じ織針によって、前記横向き横糸セット６のフィーダーで二回に分けて鈎編みされて出来、また前記紡績糸絞り畝織地５６２３の二本の紡績糸６２、６３は上記の紡績糸絞り畝織地５３２３を構成するのと同じ織針によって、前記横向き横糸セット６のフィーダーで二回に分けて鈎編みされて出来、二つの前記紡績糸絞り畝織地４６２３、５６２３は一本の同じ紡績糸６３を有し、前記シュニール畝織地４６１２と前記シュニール畝織地５６１２を巻いて、それぞれの綿ビロード端６１１と交差した紡績糸絞り６３３を構成する。
【００１４】
注意する必要が有るのは、上記シュニール畝織地４６１２の二本の紡績糸６１、６２は、上記のシュニール畝織地４３１２を構成するのと同じ織針によって、前記横向き横糸セット６の糸口へ進むフィーダーで二回に分けて鈎編みされた後、織針は前記シュニール畝織地４３１２の紡績糸３１、３２をポットアイ除去した後に得られるので、前記シュニール畝織地４６１２の紡績糸６１、６２は前記シュニール畝織地４３１２の紡績糸３１、３２を突き抜けて繋いで織り成す状態を構成することである。また前記シュニール畝織地５６１２の二本の紡績糸６１、６２は、上記のシュニール畝織地５３１２を構成するのと同じ織針によって、前記横向き横糸セット６の糸口へ進むフィーダーで二回に分けて鈎編みされた後、織針は前記シュニール畝織地５３１２の紡績糸３１、３２をポットアイ除去した後に得られるので、前記シュニール畝織地５６１２の紡績糸６１、６２は前記シュニール畝織地５３１２の紡績糸３１、３２を突き抜けて繋いで織り成す状態を構成する。このようにして、各織針は絶え間なく次の糸口のフィーダーに進んで回数を分けて鈎編みすると、繋いで織り成して複数の縦向き畝織地の綿ビロード領域９を構成し、本発明のコーデュロイ織物を織り成すことができる。
【００１５】
上記の技術方式より、本発明は従来技術に比べて下記の長所があることが分かる。
１．本発明のコーデュロイ織物の前記シュニール畝織地の綿ビロード端は、前述の紡績糸絞り畝織地の紡績糸絞りに圧されるため、従来の織物に脱毛が起き易いという問題がない。
２．本発明のコーデュロイ織物は円形編み機により織られるため、従来の織機で織物を織る速度より速く、生産効率が高まる。
【００１６】
別途図４Ａが示すのは、本発明に係るコーデュロイの組織局部概略図である。該図は図３Ａと図３Ｂのコーデュロイ織物が円形編み機により織られた後の従来織物組織であり、各横向き横糸セット３、６の各縦向き畝織地の綿ビロード領域９の間には何れもフロート３１１１、６１１１があり、また前記紡績糸絞り畝織地４３２３、５３２３、４６２３、５６２３には一本の同じ紡績糸６３があり、前記シュニール畝織地４３１２、４６１２と前記シュニール畝織地５３１２、５６１２を巻いて紡績糸絞り３３３、６３３を構成し、また鈎で引いて出来たシュニール畝織地４３１２、５３１２、４６１２、５６１２の織針の針ピンと、鈎で引いて出来た紡績糸絞り畝織地４３２３、５３２３、４６２３、５６２３の織針の針ピンとは、それぞれカム（Cam）上の異なる軌道を通り、従ってシュニール畝織地４３１２、５３１２、４６１２、５６１２の織針のカムが規則的な循環で平坦な軌道に至る方式で紡績糸３３、６３を鈎で引かずに前記紡績糸絞り３３３、６３３を構成するように設計し、また紡績糸絞り畝織地４３２３、５３２３、４６２３、５６２３の織針のカムは規則的な循環で平坦な軌道に至る方式で紡績糸３１、６１を鈎で引かずに前記フロート３１１１、６１１１を構成するように設計し、且つ前記紡績糸絞り３３３、６３３と前記フロート３１１１、６１１１は相互に交差するように設計し、図４Ｂで示すように、前記フロート３１１１、６１１１を綿ビロード端３１１、６１１にカッティングした後もまた前記紡績糸絞り３３３、６３３に圧されて脱落や脱毛し難い丈夫な効果が達成されることは取り上げる価値がある。
【００１７】
さらに図５Ａと図５Ｂで示すのは、本発明に係るコーデュロイの第二型組織局部概略図と局部拡大概略図である。該両図は大体図３Ａ及び図３Ｂと同様で、変化した箇所は下記の通りである。
【００１８】
図では同様に二組の横向き横糸セット３、６で構成される織物組織符号を例に取り本発明のコーデュロイ織物を説明する。まず横向き横糸セット３には三本の紡績糸３１、３２、３３が有り、前記横向き横糸セット３は円形編み機の各織針によって回数を分けて複数のシュニール糸畝９３１２と複数の紡績糸絞り畝織地４３２３、５３２３に鈎編みされ、そのうち縦向き畝織地の綿ビロード領域９では一つのシュニール畝織地９３１２には二本の紡績糸３１、３２があり、前記シュニール畝織地９３１２の二本の紡績糸３１、３２は一本の織針によって二回に分けて鈎編みされて出来、且つそのうちの一本の紡績糸３１は二本の綿ビロード端３１１を有し、紡績糸絞り畝織地４３２３と別の紡績糸絞り畝織地５３２３にも二本の紡績糸３２、３３を有し、且つそれぞれ前記シュニール畝織地９３１２の左右両側に位置し、前記紡績糸絞り畝織地４３２３の二本の紡績糸３２、３３は一本の前記シュニール畝織地９３１２と異なる織針によて二回に分けて鈎編みされて出来、また前記紡績糸絞り畝織地５３２３の二本の紡績糸３２、３３は一本の上記の何れも異なる織針によって二回に分けて鈎編みされて出来、二つの紡績糸絞り畝織地４３２３、５３２３は一本の同様の紡績糸３３を有し、前記シュニール畝織地９３１２を巻いて、その二本の綿ビロード端３１１と交差する紡績糸絞り３３３を構成する。
【００１９】
さらに別の横向き横糸セット６も三本の紡績糸６１、６２、６３を有し、前記横向き横糸セット６もまた円形編み機の各織針によって回数を分けて複数のシュニール畝織地９６１２と紡績糸絞り畝織地４６２３、５６２３に鈎編みされ、上記の同じ縦向き畝織地の綿ビロード領域９では、シュニール畝織地９６１２が二本の紡績糸６１、６２を有し、前記シュニール畝織地９６１２の二本の紡績糸６１、６２は、上記のシュニール畝織地９３１２を構成するのと同じ織針によって、前記横向き横糸セット６のフィーダーで二回に分けて鈎編みされて出来、また紡績糸６１も二本の綿ビロード端６１１を有し、紡績糸絞り畝織地４６２３と別の紡績糸絞り畝織地５６２３も二本の紡績糸６２、６３を有し、且つそれぞれ前記シュニール畝織地９６１２の左右両側に位置し、前記紡績糸絞り畝織地４６２３の二本の紡績糸６２、６３は上記の紡績糸絞り畝織地４３２３と同様の織針によって前記横向き横糸セット６のフィーダーで二回に分けて鈎編みされて出来、また前記紡績糸絞り畝織地５６２３の二本の紡績糸６２、６３は上記の紡績糸絞り畝織地５３２３と同様の織針によって前記横向き横糸セット６のフィーダーで二回に分けて鈎編みされて出来、二つの前記紡績糸絞り畝織地４３２３、５３２３は一本の同じ紡績糸６３を有し、前記シュニール畝織地９６１２を巻いて、その二本の綿ビロード端６１１と交差する紡績糸絞り６３３を構成する。
【００２０】
注意する必要が有るのは、上記シュニール畝織地９６１２の二本の紡績糸６１、６２は、上記のシュニール畝織地９３１２を構成するのと同じ織針によって、前記横向き横糸セット６の糸口へ進むフィーダーで二回に分けて鈎編みされた後、織針は前記シュニール畝織地９３１２の紡績糸３１、３２をポットアイ除去した後に得られるので、前記シュニール畝織地９６１２の紡績糸６１、６２は前記シュニール畝織地９３１２の紡績糸３１、３２を突き抜けて繋いで織り成す状態を構成することである。このようにして、各織針は絶え間なく次の糸口のフィーダーに進んで回数を分けて鈎編みし、つまり繋いで織り成して複数の縦向き畝織地の綿ビロード領域９１を構成し、本発明のコーデュロイ織物を織り成すことができる。
【００２１】
最後に、図６で示すのは本発明に係るコーデュロイの第三型組織局部概略図である。該図の縦向き畝織地の綿ビロード領域９と図３Ｂの縦向き畝織地の綿ビロード領域９はまったく同じであり、変化した箇所は図６で、横向き横糸セット３は二本の紡績糸３２、３３のバルーン畝織地７３２３を有し、且つ前記バルーン畝織地７３２３は紡績糸絞り畝織地５３２３と紡績糸絞り畝織地４３２３の間に位置し、また横向き横糸セット６もまた二本の紡績糸６２、６３のバルーン畝織地７６２３を有し、且つ前記バルーン畝織地７６２３もまた紡績糸絞り畝織地５６２３と紡績糸絞り畝織地４６２３の間に位置し、前記バルーン畝織地７６２３の紡績糸６２、６３は前記バルーン畝織地７３２３の紡績糸３２、３３を突き抜けて繋いで織り成す状態を構成し、つまり繋いで織り成した前記バルーン畝織地７３２３、７６２３は両隣の前記縦向き畝織地の綿ビロード領域９の間に位置することがはっきりと見出せる。
【００２２】
上記内容は本発明の好ましい実施例に過ぎず、本発明の特許申請範囲を限定するものではないため、本発明で開示した趣旨を逸脱しないで完成された等価変更若しくは補正は、全て本案における特許申請の範囲内に含まれるものとする。
【図面の簡単な説明】
【００２３】
【図１Ａ】従来のＶ字型機織コーデュロイ組織の概略図。
【図１Ｂ】従来図１ＡのシュニールによりＶ字型綿ビロードにカットする概略図。
【図２】従来のコーデュロイのＷ字型綿ビロード組織概略図。
【図３Ａ】本発明に係るコーデュロイの第一型組織局部概略図。
【図３Ｂ】本発明の図３Ａ局部拡大概略図。
【図４Ａ】本発明に係るコーデュロイの組織局部概略図。
【図４Ｂ】本発明図４Ａのカット形態局部概略図。
【図５Ａ】本発明に係るコーデュロイの第二型組織局部概略図。
【図５Ｂ】本発明の図５Ａ局部拡大概略図。
【図６】本発明に係るコーデュロイの第三型組織局部概略図。
【符号の説明】
【００２４】
１１、１２、１３、１４    緯糸（地横）
２１、２２、２３、
２４、２５、２６          経糸
２９１２                  ビロードライン
３、６                    横向きの緯糸セット
３１、３２、３３、
６１、６２、６３          紡績糸
３１１、６１１            綿ビロード端
３１１１、６１１１        フロート
３３３、６３３            紡績糸絞り
４３１２、５３１２、９３１２、
４６１２、５６１２、９６１２              シュニール畝織地
４３２３、５３２３、４６２３、５６２３    紡績糸絞り畝織地
７３２３、７６２３        バルーン畝織地
９、９１                  縦向き畝織地の綿ビロード領域
９１１、９１２            浮き横（ビロード横）
９２１、９２２            Ｖ字型綿ビロード
９７１、９７２            浮き縦
９８１、９８２            Ｗ字型綿ビロード
【図１Ａ】
2009068125.tif 000003
【図１Ｂ】
2009068125.tif 000004
【図２】
2009068125.tif 000005
【図３Ａ】
2009068125.tif 000006
【図３Ｂ】
2009068125.tif 000007
【図４Ａ】
2009068125.tif 000008
【図４Ｂ】
2009068125.tif 000009
【図５Ａ】
2009068125.tif 000010
【図５Ｂ】
2009068125.tif 000011
【図６】
2009068125.tif 000012